(57)【要約】      （修正有）【課題】一体感を持たせる連結式照明器具の実現。【解決手段】長尺な基板と、器具本体56と、蓋部54の一端部54ａに、器具本体56の長手方向に延び、同一円周上において１８０度間隔で対向配置された一対の円弧状の長孔62ａ，62ｂを形成し、また、蓋部54の他端部54ｂに、他の連結式照明器具の長孔62ａ，62ｂに挿入されるコンタクトピンを設け、さらに、長孔62ａ，62ｂが形成された一端部54ａは除き、且つ、コンタクトピンを設けた他端部54ｂを含む蓋部54内面に光拡散部68を形成し、一方の連結式照明器具のコンタクトピンを、他方の連結式照明器具の長孔62ａ，62ｂ内に挿入した状態で、一方の連結式照明器具の蓋部54の他端部54ｂが、他方の連結式照明器具の蓋部54の一端部54ａ上に配置されるよう構成。【選択図】図１
2010262744.tif 000002
【特許請求の範囲】
【請求項１】
長尺な基板と、該基板の表面を覆う長尺な透光性の蓋部を備えた器具本体と、該器具本体の内部に配置される光源を有する連結式照明器具であって、
上記蓋部の一端部に、器具本体の長手方向に延び、同一円周上において１８０度間隔で対向配置された一対の円弧状の長孔を形成し、また、
上記蓋部の他端部に、他の連結式照明器具の上記長孔に挿入される一対の長孔挿入部材を設け、さらに、
上記長孔が形成されている一端部は除き、且つ、長孔挿入部材を設けた他端部を含む上記蓋部の内面に、凹凸を形成して構成した光拡散部を形成して成り、
一の連結式照明器具における蓋部の他端部に設けた長孔挿入部材を、他の連結式照明器具の長孔内に挿入した状態において、一の連結式照明器具の蓋部の他端部が、他の連結式照明器具の蓋部の一端部上に配置されるよう構成したことを特徴とする連結式照明器具。
【請求項２】
上記一対の長孔の中心角が９０度と成されていることを特徴とする請求項１に記載の連結式照明器具。
【請求項３】
上記長孔内に、光源と電気的に接続された導体が延設されており、さらに、
上記長孔挿入部材が、光源と電気的に接続された導電材で構成されており、
上記導電材より成る長孔挿入部材は、他の連結式照明器具の長孔内に挿入されて上記導体と接続されることを特徴とする請求項１又は２に記載の連結式照明器具。
【請求項４】
上記光源が発光ダイオードであることを特徴とする請求項１乃至３の何れかに記載の連結式照明器具。
【請求項５】
導電材より成る長孔挿入部材が、コンタクトピンであることを特徴とする請求項３又は４に記載の連結式照明器具。
【発明の詳細な説明】
【技術分野】
【０００１】
この発明は、複数の照明器具同士を連結することのできる連結式照明器具に関する。
【背景技術】
【０００２】
従来、店舗やオフィスの照明として、複数の長尺な照明器具同士を連結させてライン状に配置させたり、照明器具同士の連結角度を調整することにより所定の形状に配置させることが行われている。
この種の連結式照明器具として、本出願人は、先に、特願平２００９−６５４２２号を提案した。
【０００３】
出願人提案の特願平２００９−６５４２２号は、長尺な器具本体を有する連結式照明器具であって、上記器具本体の両端部に、他の連結式照明器具の器具本体の端部を回転可能に連結する連結機構を形成したものである。
すなわち、図１９〜図３１に示すように、この連結式照明器具10は、長尺な基板12（図２１）と、該基板12の表面を覆う長尺な蓋部14を備えた器具本体16を有しており、該器具本体16は長尺で棒状の外観を呈している。
器具本体16を構成する上記基板12の表面には、６個の発光ダイオード（ＬＥＤ）20が所定間隔で配置されている（図２２）。また、上記蓋部14は、透光性材料で構成されており、ＬＥＤ20の発光を透過させて外部へ放射できるようになっている。
【０００４】
図１９び図２３に示すように、器具本体16を構成する上記蓋部14の一端部には、器具本体16の長手方向に延びる円弧状の一対の長孔22ａ，22ｂが形成されている。上記一対の長孔22ａ，22ｂは、同一円周上において１８０度間隔で対向配置されており、また、その中心角は同一の９０度と成されている。
また、上記一対の長孔22ａ，22ｂ間には、ネジ孔24が形成されている。
【０００５】
さらに、上記蓋部14の他端部の底面には、一対のコンタクトピン26ａ，26ｂが取り付けられている（図２０）。すなわち、図２１に示すように、蓋部14の他端の底面には導電板28が取り付けられており、該導電板28の先端に形成した孔（図示せず）にコンタクトピン26ａ，26ｂを挿通固定している。これらコンタクトピン26ａ，26ｂは、連結式照明器具10同士を連結する際に、他の連結式照明器具10の一対の長孔22ａ，22ｂ内に挿入されるものである。
また、上記蓋部14の他端部にもネジ孔30が形成されている。
【０００６】
上記構成を備えた連結式照明器具10同士を連結するには、図２４〜図２６に示すように、一方の連結式照明器具10Ａのコンタクトピン26ａ，26ｂを、他方の連結式照明器具10Ｂの長孔22ａ，22ｂ内に挿入する。
そして、コンタクトピン26ａ，26ｂが長孔22，22内に挿入された状態で、コンタクトピン26ａ，26ｂを円弧状の長孔22ａ，22ｂに沿って移動させれば、一方の連結式照明器具10Ａが回転するので連結角度を調整することができるのである。
【０００７】
すなわち、上記した通り、一対の円弧状の長孔22ａ，22ｂは、同一円周上において１８０度間隔で対向配置されると共に、中心角が９０度と成されているので、図２７及び図２８に示すように、一対のコンタクトピン26ａ，26ｂを共に、長孔22，22の中央位置に配置すれば、連結式照明器具10Ａ，10Ｂ同士をライン状に連結することができる。
また、図２９及び図３０に示すように、一方のコンタクトピン26ａを長孔22ａの左端位置に配置すると共に、他方のコンタクトピン26ｂを長孔22ｂの右端位置に配置すれば、一方の連結式照明器具10Ａを他方の連結式照明器具10Ｂに対して上方４５度の角度で連結することができる。
【０００８】
尚、一方の連結式照明器具10Ａのコンタクトピン26ａ，26ｂを、他方の連結式照明器具10Ｂの長孔22ａ，22ｂ内に挿入した状態においては、一方の連結式照明器具10Ａのネジ孔30と他方の連結式照明器具10Ｂのネジ孔24とが連通するようになっている。
而して、上記方法で一方の連結式照明器具10Ａと他方の連結式照明器具10Ｂとを所望の連結角度で連結した状態で、ネジ孔24，30にネジ32を螺合させて連結式照明器具10Ａ，10Ｂ同士を固定するのである（図３１）。
【特許文献１】特願平２００９−６５４２２号
【発明の開示】
【発明が解決しようとする課題】
【０００９】
ところで、上記連結式照明器具10にあっては、点灯時にＬＥＤ20が発光すると、該ＬＥＤ20の発光は、主としてＬＥＤ20上方の蓋部14を透過して外部へ放射されるものであり、連結機構としての「長孔22ａ，22ｂ」及び「コンタクトピン26ａ，26ｂ」が設けられた蓋部14の両端部からは、ＬＥＤ20の発光は殆ど照射されないものとなっている。
従って、複数の連結式照明器具10同士を連結した状態で点灯させた場合、連結部分となる各連結式照明器具10の蓋部14の両端部が暗くなるため、連結させた複数の連結式照明器具10全体の一体感が損なわれるといった問題を生じていた。
【００１０】
尚、図３２〜図３６に示すように、ＬＥＤ20上方の蓋部14内面に、微細な凹凸35より成る光拡散部37を形成することにより、ＬＥＤ20の発光を拡散させて蓋部14から照射される発光の均一化を図る場合がある。
しかしながら、この場合には、凹凸35より成る光拡散部37が形成されたＬＥＤ20上方の蓋部14と、凹凸35より成る光拡散部37が形成されない蓋部14の両端部とが、視覚的に明確に区別して認識されることとなる（図３６参照）。
従って、ＬＥＤ20上方の蓋部14内面に、微細な凹凸35より成る光拡散部37を形成した場合には、点灯時のみならず、消灯時においても、連結させた複数の連結式照明器具10全体の一体感が損なわれるという問題があった。
【００１１】
本発明は、従来の上記問題に鑑みてなされたものであり、その目的とするところは、連結させた複数の連結式照明器具全体の一体感を持たせることのできる連結式照明器具を実現することにある。
【課題を解決するための手段】
【００１２】
上記の目的を達成するため、請求項１に記載の連結式照明器具は、
長尺な基板と、該基板の表面を覆う長尺な透光性の蓋部を備えた器具本体と、該器具本体の内部に配置される光源を有する連結式照明器具であって、
上記蓋部の一端部に、器具本体の長手方向に延び、同一円周上において１８０度間隔で対向配置された一対の円弧状の長孔を形成し、また、
上記蓋部の他端部に、他の連結式照明器具の上記長孔に挿入される一対の長孔挿入部材を設け、さらに、
上記長孔が形成されている一端部は除き、且つ、長孔挿入部材を設けた他端部を含む上記蓋部の内面に、凹凸を形成して構成した光拡散部を形成して成り、
一の連結式照明器具における蓋部の他端部に設けた長孔挿入部材を、他の連結式照明器具の長孔内に挿入した状態において、一の連結式照明器具の蓋部の他端部が、他の連結式照明器具の蓋部の一端部上に配置されるよう構成したことを特徴とする。
【００１３】
請求項２に記載の連結式照明器具は、請求項１に記載の連結式照明器具において、一対の長孔の中心角を９０度と成したことを特徴とする。
【００１４】
請求項３に記載の連結式照明器具は、請求項１又は２に記載の連結式照明器具において、
上記長孔内に、光源と電気的に接続された導体が延設されており、さらに、
上記長孔挿入部材が、光源と電気的に接続された導電材で構成されており、
上記導電材より成る長孔挿入部材は、他の連結式照明器具の長孔内に挿入されて上記導体と接続されることを特徴とする。
【００１５】
請求項４に記載の連結式照明器具は、請求項１乃至３の何れかに記載の連結式照明器具において、光源が発光ダイオードであることを特徴とする。
【００１６】
請求項５に記載の連結式照明器具は、請求項３又は４に記載の連結式照明器具において、導電材より成る長孔挿入部材が、コンタクトピンであることを特徴とする。
【発明の効果】
【００１７】
本発明の請求項１に記載の連結式照明器具は、長尺な蓋部の一端部に、器具本体の長手方向に延び、同一円周上において１８０度間隔で対向配置された円弧状の一対の長孔を形成すると共に、蓋部の他端部に、他の連結式照明器具の上記長孔に挿入される一対の長孔挿入部材を形成したので、一の連結式照明器具の長孔挿入部材を、他の連結式照明器具の長孔内に挿入した状態で、長孔挿入部材を円弧状の長孔に沿って移動させれば一の連結式照明器具が回転するため、連結角度の調整を行うことができる。従って、別途、特別な連結部品を用いることなく、連結照明器具同士の連結及び連結角度の設定ができる。
【００１８】
また、本発明の請求項１に記載の連結式照明器具は、長孔が形成されている一端部は除き、且つ、長孔挿入部材を設けた他端部を含む蓋部の内面に、凹凸を形成して構成した光拡散部を形成し、また、一の連結式照明器具における蓋部の他端部に設けた長孔挿入部材を、他の連結式照明器具の長孔内に挿入した状態において、一の連結式照明器具の蓋部の他端部が、他の連結式照明器具の蓋部の一端部上に配置されるよう構成している。
従って、複数の連結式照明器具を連結すると、連結部分において、一の連結式照明器具の蓋部の他端部に形成した光拡散部が視認されるようになり、その結果、一の連結式照明器具の蓋部の光拡散部と、他の連結式照明器具の蓋部の光拡散部とが連続的に視認されるので、連結させた複数の連結式照明器具全体の一体感を持たせることができる。
【００１９】
また、連結させた連結式照明器具を点灯させた場合も、連結部分となる一の連結式照明器具の蓋部の他端部内面に光拡散部が形成されている結果、連結部分である上記蓋部の他端部からも光源の発光が放射されるので、連結させた複数の連結式照明器具全体の一体感が損なわれることがない。
【００２０】
請求項２に記載の連結式照明器具の如く、請求項１に記載の連結式照明器具において、一対の長孔の中心角を９０度と成した場合には、一の連結式照明器具の長孔挿入部材を、他の連結式照明器具の長孔内に挿入した状態で、長孔挿入部材を円弧状の長孔に沿って移動させて一の連結式照明器具を回転させることにより、９０度の範囲で連結角度の調整を行うことができる。
【００２１】
請求項３に記載の連結式照明器具の如く、請求項１又は２に記載の連結式照明器具において、上記長孔内に、器具本体内部の光源と電気的に接続された導体が延設され、また、上記長孔挿入部材が、光源と電気的に接続された導電材で構成され、上記導電材より成る長孔挿入部材は、他の連結式照明器具の長孔内に挿入されて上記導体と接続されるよう構成すれば、連結式照明器具同士の電気的接続も実現することができる。
【発明を実施するための最良の形態】
【００２２】
本発明は、長尺な器具本体を有する連結式照明器具であって、上記器具本体の両端部に、他の連結式照明器具の器具本体の端部を回転可能に連結する連結機構を形成したものであり、以下、図面に基づき、本発明に係る連結式照明器具の実施形態を説明する。
図１は、本発明に係る連結式照明器具10の平面図、図２は正面図、図３は底面図、図４は右側面図、図５は左側面図、図６は図１のＧ−Ｇ断面図、図７は図１のＨ−Ｈ断面図である。
本発明の連結式照明器具50は、長尺な基板52（図３）と、該基板52の表面を覆う長尺な蓋部54を備えた器具本体56を有しており、該器具本体56は長尺で棒状の外観を呈している。
【００２３】
器具本体56を構成する上記基板52はアルミニウム等の導電材上に樹脂等の絶縁層（図示省略）を形成して構成されており、該基板52の表面には、光源としての６個の発光ダイオード（ＬＥＤ）60が所定間隔で配置されている（図６）。また、６個のＬＥＤ60は、表面を半田メッキされた銅等より成る導体パターン（図示せず）を介して直列接続されている。
尚、各ＬＥＤ60は、６個のＬＥＤチップ（図示せず）を内蔵しており、これら６個のＬＥＤチップは、２個づつ並列接続されて３組のＬＥＤチップ群が構成されると共に、これら３組のＬＥＤチップ群同士が直列接続されているものである。
上記蓋部54は、樹脂等より成る透光性材料で構成されており、ＬＥＤ60の発光を透過させて外部へ放射できるようになっている。
【００２４】
図１及び図７に示すように、器具本体56を構成する上記蓋部54の一端部54ａには、器具本体56の長手方向に延びる円弧状の一対の長孔62ａ，62ｂが形成されている。上記一対の長孔62ａ，62ｂは、同一円周上において１８０度間隔で対向配置されており、また、その中心角は同一の９０度と成されている。
尚、上記長孔62ａ，62ｂ内に露出した基板52の表面には、上記ＬＥＤ60に接続された図示しない導体パターンが延設されている。
また、上記一対の長孔62ａ，62ｂ間には、ネジ孔64が形成されている。
【００２５】
また、上記蓋部54の他端部54ｂは、基板52の端部から外方に所定距離突出しており、また、ネジ孔65が形成されている。
【００２６】
さらに、図１及び図６に示すように、長孔62ａ，62ｂが形成されている一端部54ａを除く、上記蓋部54の内面には、微細な凹凸66（図６）を形成して構成した光拡散部68が形成されている。すなわち、長孔62ａ，62ｂが形成された一端部54ａを除き、ＬＥＤ60上方の蓋部54内面及び他端部54ｂ内面に、微細な凹凸66より成る上記光拡散部68が形成されている。
上記光拡散部68は、ＬＥＤ60の発光を拡散させることにより、蓋部54から放射される発光の均一化を図るために設けたものである。
蓋部54の内面に形成した上記光拡散部68は、透光性の蓋部54の外部から視認されるようになっている。
【００２７】
また、上記蓋部54の他端部54ｂの内面側には、導電材より成る長孔挿入部材としての一対のコンタクトピン69ａ，69ｂが設けられている。
すなわち、図３及び図１１に示すように、その後端が、上記基板52に接続・固定されると共に、先端は、上記蓋部54の他端部54ｂの下方に配置された一対の導電板70，70が設けられており、該導電板70，70の先端に形成した孔（図示せず）にコンタクトピン69ａ，69ｂを挿通固定している。これらコンタクトピン69ａ，69ｂは、連結式照明器具50同士を連結する際に、他の連結式照明器具50の一対の長孔62ａ，62ｂ内に挿入されるものである。
尚、上記導電板70の後端は、ＬＥＤ60に接続された図示しない導体パターンと接続されている。
【００２８】
上記コンタクトピン69ａ，69ｂは、図８に示す如く、筒状体71の内部にスプリング72を内蔵すると共に、該スプリング72に接続され、上記筒状体71に挿通可能な先端部73を有しており、上記先端部73が押圧されるとスプリング72が圧縮されるようになっている。
【００２９】
尚、後述する通り、本発明は、一方の連結式照明器具50のコンタクトピン69ａ，69ｂを、他方の連結式照明器具50の長孔62ａ，62ｂ内に挿入し、長孔62ａ，62ｂ内の導体パターン上に載置・接続して連結式照明器具50同士を連結すると、一方の連結式照明器具50のＬＥＤ60−導体パターン−導電板70−コンタクトピン69ａ，69ｂ−他方の連結式照明器具50の導体パターン−ＬＥＤ60とが電気的に接続され、連結式照明器具10同士の電気的接続も実現できるようになっている。
しかしながら、コンタクトピン69ａ，69ｂを挿通固定する導電板70，70が外力等を受けて上方へ変形し、コンタクトピン69ａ，69ｂの位置が上方にずれると、一方の連結式照明器具50のコンタクトピン69ａ，69ｂを、他方の連結式照明器具50の長孔62ａ，62ｂ内に挿入した際に、コンタクトピン69ａ，69ｂを長孔62ａ，62ｂ内の導体パターンに接続することができず、その結果、連結式照明器具10同士の電気的接続が実現できなくなる。
そこで、本発明にあっては、図９に示す位置決部材74を、蓋部54の他端部54ｂと導電板70，70との間に介在させることにより（図６）、導電板70，70の上方への変形及びコンタクトピン69ａ，69ｂの上方への位置ずれを防止している。
【００３０】
上記構成を備えた本発明の連結式照明器具10同士を連結するには、図１０〜図１２に示すように、一方の連結式照明器具50Ａにおける蓋部54の他端部54ｂに設けたコンタクトピン69ａ，69ｂを、他方の連結式照明器具50Ｂにおける蓋部54の一端部54ａに設けた長孔62ａ，62ｂ内に挿入し、コンタクトピン69ａ，69ｂを導体パターン（図示省略）上に載置・接続する。
尚、図１１に示す通り、一方の連結式照明器具50Ａのコンタクトピン69ａ，69ｂを、他方の連結式照明器具50Ｂの長孔62ａ，62ｂ内に挿入した状態においては、一方の連結式照明器具50Ａの蓋部54の他端部54ｂが、他方の連結式照明器具50Ｂの蓋部54の一端部54ａ上に配置されることとなり、他方の連結式照明器具50Ｂの蓋部54の一端部54ａは外部から視認できなくなる。また、一方の連結式照明器具50Ａの蓋部54の上面と、他方の連結式照明器具50Ｂの蓋部54の上面とは面一と成される。
【００３１】
そして、コンタクトピン69ａ，69ｂが長孔62ａ，62ｂ内に挿入された状態で、コンタクトピン69ａ，69ｂを円弧状の長孔62ａ，62ｂに沿って移動させれば、一方の連結式照明器具50Ａが回転するので連結角度を調整することができる。
すなわち、上記した通り、一対の円弧状の長孔62ａ，62ｂは、同一円周上において１８０度間隔で対向配置されると共に、中心角が９０度と成されているので、図１３及び図１４に示すように、一対のコンタクトピン69ａ，69ｂを共に、長孔62ａ，62ｂの中央位置に配置すれば、連結式照明器具50Ａ，50Ｂ同士をライン状に連結することができる。尚、説明の便宜上、図１４においては、長孔62ａ，62ｂ及びコンタクトピン69ａ，69ｂ近傍の光拡散部68を省略して表現している。
【００３２】
また、図１５及び図１６に示すように、一方のコンタクトピン69ａを長孔62ａの左端位置に配置すると共に、他方のコンタクトピン69ｂを長孔62ｂの右端位置に配置すれば、一方の連結式照明器具50Ａを他方の連結式照明器具50Ｂに対して上方４５度の角度で連結することができる。尚、説明の便宜上、図１６においては、長孔62ａ，62ｂ及びコンタクトピン69ａ，69ｂ近傍の光拡散部68を省略して表現している。
さらに、図示は省略するが、一方のコンタクトピン69ａを長孔62ａの右端位置に配置すると共に、他方のコンタクトピン69ｂを長孔62ｂの左端位置に配置すれば、一方の連結式照明器具50Ａを他方の連結式照明器具50Ｂに対して下方４５度の角度で連結することができる。
以上の通り、本発明の連結式照明器具50は、他方の連結式照明器具50Ｂの長孔62ａ，62ｂ内に挿入された一方の連結式照明器具50Ａのコンタクトピン69ａ，69ｂを、長孔62ａ，62ｂに沿って移動させて一方の連結式照明器具50Ａを回転させることにより、９０度の範囲で連結角度の調整を行うことができるのである。
【００３３】
尚、一方の連結式照明器具50Ａのコンタクトピン69ａ，69ｂを、他方の連結式照明器具50Ｂの長孔62ａ，62ｂ内に挿入した状態においては、一方の連結式照明器具50Ａのネジ孔65と他方の連結式照明器具50Ｂのネジ孔64とが連通するようになっている。
而して、上記方法で一方の連結式照明器具50Ａと他方の連結式照明器具50Ｂとを所望の連結角度で連結した状態で、ネジ孔65，64にネジ80を螺合させて連結式照明器具50Ａ，50Ｂ同士を固定するのである（図１７）。
尚、連結式照明器具50同士の固定手段としては上記ネジ80だけでなく、例えば、図示しないブッシュを介して連結式照明器具50同士を固定したり、或いは、一方の連結式照明器具50Ａと他方の連結式照明器具50Ｂの夫々に相互に係合する係合爪を設けて固定するようにしても良い。
【００３４】
上記の通り、長孔62ａ，62ｂ内に露出した基板52の表面には、ＬＥＤ60に接続された導体パターンが延設され、また、コンタクトピン69ａ，69ｂは、ＬＥＤ60に接続された導体パターンと接続する導電板70に固定されている。
従って、コンタクトピン69ａ，69ｂを長孔62ａ，62ｂ内に挿入して導体パターン上に載置・接続した状態で、ネジ80を介して連結式照明器具50同士を連結すると、一方の連結式照明器具50ＡのＬＥＤ60−導体パターン−導電板70−コンタクトピン69ａ，69ｂ−他方の連結式照明器具50Ｂの導体パターン−ＬＥＤ60とが電気的に接続され、連結式照明器具50同士の電気的接続を実現できる。
【００３５】
尚、上記コンタクトピン69ａ，69ｂｂは、スプリング72が圧縮することにより、先端部73が導体パターン方向への付勢力を持った状態で導体パターンに圧接されるので接続強度が大きい。
尚、図１８に示すように、上記コンタクトピン69ａ，69ｂに代えて、先端にバネ性の有るコンタクト部70ａを有する導電板70を用いても良い。この場合も、長孔62ａ，62ｂ内に挿入された導電板70のコンタクト部70ａが導体パターン方向への付勢力を持った状態で導体パターンに圧接されるので接続強度が大きい。
【００３６】
上記連結式照明器具50にあっては、器具本体56を構成する蓋部54の一端部54ａに、器具本体54の長手方向に延び、同一円周上において１８０度間隔で対向配置された円弧状の一対の長孔62ａ，62ｂを形成すると共に、器具本体56を構成する蓋部54の他端部54ｂに、一対のコンタクトピン69ａ，69ｂを設けたので、一方の連結式照明器具50Ａのコンタクトピン69ａ，69ｂを、他方の連結式照明器具50Ｂの長孔62ａ，62ｂ内に挿入した状態で、コンタクトピン69ａ，69ｂを円弧状の長孔62ａ，62ｂに沿って移動させれば一方の連結式照明器具50Ａが回転するため、連結角度の調整を行うことができる。
従って、本発明の連結式照明器具50は、別途、連結角度調整のための特別な連結部品を用いることなく、連結照明器具50同士の連結及び連結角度の設定ができる。
【００３７】
また、本発明の連結式照明器具50にあっては、長孔62ａ，62ｂが形成されている一端部54ａを除く、ＬＥＤ60上方の蓋部54内面及び他端部54ｂ内面に、凹凸66より成る光拡散部68を形成している。
従って、一方の連結式照明器具50Ａにおける蓋部54の他端部54ｂに設けたコンタクトピン69ａ，69ｂを、他方の連結式照明器具50Ｂにおける蓋部54の一端部54ａに設けた長孔62ａ，62ｂ内に挿入して、一方の連結式照明器具50Ａの蓋部54の他端部54ｂを、他方の連結式照明器具50Ｂの蓋部54の一端部54ａ上に配置すると、連結部分において、一方の連結式照明器具50Ａの蓋部54の他端部54ｂに形成した光拡散部68が視認されるようになる。その結果、図１３及び図１５に示すように、一方の連結式照明器具50Ａの蓋部54の光拡散部68と、他方の連結式照明器具50Ｂの蓋部54の光拡散部68とが連続的に視認されるので、連結させた連結式照明器具50Ａ，50Ｂ全体の一体感を持たせることができる。
【００３８】
また、連結させた連結式照明器具50Ａ，50Ｂを点灯させた場合も、連結部分となる一方の連結式照明器具50Ａの蓋部54の他端部54ｂ内面に光拡散部68が形成されている結果、連結部分である上記蓋部54の他端部54ｂからもＬＥＤ60の発光が放射されるので、連結させた連結式照明器具50Ａ，50Ｂ全体の一体感が損なわれることがない。
【００３９】
上記においては、同じ長さの連結式照明器具50同士を連結する場合を例に挙げて説明したが、長さの異なる連結式照明器具50を複数種類用意しておき、取付場所の形状に応じて長さの異なる連結式照明器具50同士を連結することもできる。
【００４０】
また、上記においては、円弧状の長孔62ａ，62ｂの中心角が９０度の場合を例示したが、これに限定されるものではなく、例えば、中心角を９０度より大きく成せば、９０度より大きい範囲で連結角度の調整が可能となる。
【００４１】
上記の通り、連結式照明器具50同士を機械的に連結すると、同時に、連結式照明器具50同士の電気的接続も実現されるよう構成するのが望ましいが、単に、連結式照明器具50同士が機械的にのみ連結するよう構成することもできる。この場合は、長孔62ａ，62ｂ内に導体パターンを延設する必要はなく、また、長孔挿入部材を導電材（コンタクトピン69ａ，69ｂや導電板70）で構成する必要はない。
【図面の簡単な説明】
【００４２】
【図１】本発明に係る連結式照明器具を示す平面図である。
【図２】本発明に係る連結式照明器具を示す正面図である。
【図３】本発明に係る連結式照明器具を示す底面図である。
【図４】本発明に係る連結式照明器具を示す右側面図である。
【図５】本発明に係る連結式照明器具を示す左側面図である。
【図６】図１のＧ−Ｇ断面図である。
【図７】図１のＨ−Ｈ断面図である。
【図８】コンタクトピンを示す説明図である。
【図９】位置決部材を示す説明図であり、（ａ）は平面図、（ｂ）は正面図、（ｃ）は底面図、（ｄ）は左側面図、（ｅ）は右側面図、（ｆ）は断面図である。
【図１０】本発明に係る連結式照明器具同士を連結した状態を示す部分平面図である。
【図１１】図１０のＩ−Ｉ拡大断面図である。
【図１２】図１０のＪ−Ｊ拡大断面図である。
【図１３】本発明に係る連結式照明器具同士をライン状に連結した状態を示す平面図である。
【図１４】本発明に係る連結式照明器具同士をライン状に連結した場合の長孔内におけるコンタクトピンの配置位置を示す説明図である。
【図１５】本発明に係る連結式照明器具同士を上方４５度の角度で連結した状態を示す平面図である。
【図１６】本発明に係る連結式照明器具同士を上方４５度の角度で連結した場合の長孔内におけるコンタクトピンの配置位置を示す説明図である。
【図１７】図１０のＫ−Ｋ拡大断面図である。
【図１８】先端にバネ性の有るコンタクト部を有する導電板の拡大断面図である。
【図１９】従来の連結式照明器具を示す平面図である。
【図２０】従来の連結式照明器具を示す正面図である。
【図２１】従来の連結式照明器具を示す底面図である。
【図２２】図１９のＡ−Ａ断面図である。
【図２３】図１９のＢ−Ｂ断面図である。
【図２４】従来の連結式照明器具同士を連結した状態を示す部分平面図である。
【図２５】図２４のＣ−Ｃ拡大断面図である。
【図２６】図２４のＤ−Ｄ拡大断面図である。
【図２７】従来の連結式照明器具同士をライン状に連結した状態を示す平面図である。
【図２８】従来の連結式照明器具同士をライン状に連結した場合の長孔内におけるコンタクトピンの配置位置を示す説明図である。
【図２９】従来の連結式照明器具同士を上方４５度の角度で連結した状態を示す平面図である。
【図３０】従来の連結式照明器具同士を上方４５度の角度で連結した場合の長孔内におけるコンタクトピンの配置位置を示す説明図である。
【図３１】図２４のＥ−Ｅ拡大断面図である。
【図３２】蓋部内面に光拡散部を形成した従来の連結式照明器具を示す平面図である。
【図３３】蓋部内面に光拡散部を形成した従来の連結式照明器具を示す正面図である。
【図３４】図３２のＦ−Ｆ断面図である。
【図３５】蓋部内面に光拡散部を形成した従来の連結式照明器具図を連結した状態を示す部分拡大断面図である。
【図３６】蓋部内面に光拡散部を形成した従来の連結式照明器具同士をライン状に連結した状態を示す平面図である。
【符号の説明】
【００４３】
50    連結式照明器具
50Ａ  一方の連結式照明器具
50Ｂ  他方の連結式照明器具
52    基板
54    蓋部
54ａ  蓋部の一端部
54ｂ  蓋部の他端部
56    器具本体
60    ＬＥＤ
62ａ  長孔
62ｂ  長孔
64    ネジ孔
65    ネジ孔
66    凹凸
68    光拡散部
69ａ  コンタクトピン
69ｂ  コンタクトピン
70    導電板
70ａ  導電板のコンタクト部
74    位置決部材
【図１】
2010262744.tif 000003
【図２】
2010262744.tif 000004
【図３】
2010262744.tif 000005
【図４】
2010262744.tif 000006
【図５】
2010262744.tif 000007
【図６】
2010262744.tif 000008
【図７】
2010262744.tif 000009
【図８】
2010262744.tif 000010
【図９】
2010262744.tif 000011
【図１０】
2010262744.tif 000012
【図１１】
2010262744.tif 000013
【図１２】
2010262744.tif 000014
【図１３】
2010262744.tif 000015
【図１４】
2010262744.tif 000016
【図１５】
2010262744.tif 000017
【図１６】
2010262744.tif 000018
【図１７】
2010262744.tif 000019
【図１８】
2010262744.tif 000020
【図１９】
2010262744.tif 000021
【図２０】
2010262744.tif 000022
【図２１】
2010262744.tif 000023
【図２２】
2010262744.tif 000024
【図２３】
2010262744.tif 000025
【図２４】
2010262744.tif 000026
【図２５】
2010262744.tif 000027
【図２６】
2010262744.tif 000028
【図２７】
2010262744.tif 000029
【図２８】
2010262744.tif 000030
【図２９】
2010262744.tif 000031
【図３０】
2010262744.tif 000032
【図３１】
2010262744.tif 000033
【図３２】
2010262744.tif 000034
【図３３】
2010262744.tif 000035
【図３４】
2010262744.tif 000036
【図３５】
2010262744.tif 000037
【図３６】
2010262744.tif 000038